(57)【要約】【課題】  リリーフ弁と定残圧弁とで燃料レール内の圧力を調整し、しかも、構成が簡単で、定残圧弁の油密性を向上させた高圧ポンプを提供する。【解決手段】  高圧ポンプ１０は、リリーフ圧以上で開弁するリリーフ弁７３と、通常時は開弁し所定の定残圧になると閉弁する定残圧弁７４とを有し、燃料レール２０内の圧力を調整する。また、高圧ポンプ１０では、スプリングシート８４を用いてリリーフ弁７３の内部に定残圧弁７４を配置する。さらにまた、定残圧用弁体９１の下流側に発生する渦流を抑制すべく、スプリングシート８４は、定残圧用弁体９１の外郭に沿って配設されるガイド部８９を有する。【選択図】      図４
2011122521.tif 000002
【特許請求の範囲】
【請求項１】
プランジャの移動によって容積変化し燃料を加圧可能な加圧室を有する加圧部と、
前記加圧室にて加圧される燃料を、インジェクタが接続される燃料レールへ吐出弁を介して吐出する吐出部と、
前記吐出弁の下流側から、当該吐出弁の上流側へ、燃料を戻すことが可能なリターン流路と、
前記リターン流路の途中に介在する筒状のリリーフ用弁体、及び、当該リリーフ用弁体を閉弁方向へ付勢するリリーフ用付勢手段を有し、燃料レール内の圧力が許容範囲を上回るリリーフ圧以上になると、前記リリーフ用弁体が移動することで前記リターン流路を開放する機械式のリリーフ弁と、
前記リリーフ用弁体の内部上流側に前記リリーフ用付勢手段に外縁部を付勢されて支持され、その内部に燃料の流路を形成するカップ状のスプリングシートと、
前記スプリングシートの内部に配置され、前記リリーフ用弁体の内部に形成された弁座に着座することで前記リリーフ用弁体の上流側の絞り部からの燃料を遮断可能な定残圧用弁体、及び、当該定残圧用弁体を閉弁方向へ付勢する定残圧用付勢手段を有し、前記上流側の絞り部から流入する燃料の圧力によって前記リターン流路を機能させ、燃料レール内の圧力が所定の圧力以下になると前記リターン流路を閉塞する定残圧弁と、を備え、
前記スプリングシートは、下流側に発生する渦流を抑制するよう前記定残圧用弁体の外郭に沿って形成されたガイド部を有していること
を特徴とする高圧ポンプ。
【請求項２】
請求項１に記載の高圧ポンプにおいて、
前記スプリングシートは、下流側に燃料を流すための貫通孔を有していること
を特徴とする高圧ポンプ。
【請求項３】
請求項２に記載の高圧ポンプにおいて、
前記貫通孔を、上流側の絞り部と直列に配置される下流側の絞り部としたこと
を特徴とする高圧ポンプ。
【請求項４】
請求項３に記載の高圧ポンプにおいて、
前記下流側の絞り部は、前記貫通孔に対し、径方向へ押圧力を発生する断面視Ｃ形のスプリングピンを挿入することで構成されていること
を特徴とする高圧ポンプ。
【請求項５】
請求項１〜４のいずれか一項に記載の高圧ポンプにおいて、
前記スプリングシートの外縁部に、リリーフ用付勢手段の一端を係止し、リリーフ用弁体の内周壁に食い込むリング状の係止部を設けたこと
を特徴とする高圧ポンプ。
【請求項６】
請求項５に記載の高圧ポンプにおいて、
前記リング状の係止部は、前記スプリングシートとは別部材であること
を特徴とする高圧ポンプ。
【請求項７】
請求項１〜６のいずれか一項に記載の高圧ポンプにおいて、
前記リリーフ用弁体と前記スプリングシートの外縁部との間に、前記定残圧用弁体の周囲を覆うようにして配置されたワッシャ部材を有すること
を特徴とする高圧ポンプ。
【請求項８】
請求項７に記載の高圧ポンプにおいて、
前記ワッシャ部材は、その内径が前記定残圧用弁体の外径よりも僅かに大きく形成されていること
を特徴とする高圧ポンプ。
【請求項９】
請求項１〜８のいずれか一項に記載の高圧ポンプにおいて、
前記リターン流路は、前記吐出弁の下流側と前記加圧室とを連通すること
を特徴とする高圧ポンプ。
【発明の詳細な説明】
【技術分野】
【０００１】
本発明は、内燃機関（以下「エンジン」という）に用いられる高圧ポンプに関する。
【背景技術】
【０００２】
従来、エンジンへ燃料を供給する燃料供給装置には、高圧燃料を圧送する高圧ポンプが設けられる。この高圧ポンプから圧送された高圧燃料を蓄積するのが、インジェクタの接続される燃料レールである。この燃料レール内の圧力が保持されることで、インジェクタから燃料が噴射されることになる。
【０００３】
しかし、例えば高圧ポンプが備える調量弁の故障等により、許容範囲を上回る異常昇圧が燃料レールに生じる場合がある。この場合、燃料レールやインジェクタを損傷してしまうことになりかねない。そこで従来、燃料レール内の圧力が異常圧力となった場合に開弁するリリーフ弁を設けた高圧ポンプが提案されている。
【０００４】
このようなリリーフ弁は許容範囲を上回る所定圧力となった場合に燃料レール内の圧力を下降させるものであり、燃料レール内の圧力が許容範囲にある場合には、何等機能しない。ところが、燃料レール内の圧力が許容範囲にある場合であっても、例えば、燃料レールの圧力が適正範囲にないと、エンジンの停止時に気筒内への燃料漏れをインジェクタに生じさせたり、燃料噴射量が必要以上に大きくなってしまったり、燃料レール内に燃料蒸気が発生してしまったりすることがある。
【０００５】
そこで、リリーフ弁と共に、燃料レール内の燃料圧力を適正化するための定残圧弁を備えた高圧ポンプが提案されている。このような高圧ポンプの中には、リリーフ弁体の内部に例えばボール弁などの定残圧弁を備える構成とし、小型化を図ったものがある（例えば、特許文献１参照）。
【先行技術文献】
【特許文献】
【０００６】
【特許文献１】特開昭６０−１１９３６６号公報
【発明の概要】
【発明が解決しようとする課題】
【０００７】
しかしながら、特許文献１の構成では、定残圧弁の閉弁時に、弁座との間の油密性が十分に確保できない虞がある。これは、特許文献１の図２に示される閉鎖体３２が開弁すると閉鎖体３２あるいは、ばね受け皿３４の下流側に渦流が発生し、開弁時において閉鎖体３２が安定しないためであり、弁座に対する着座位置がずれるためである。定残圧弁の場合は、閉弁時に作用する付勢力が大きくないため、この僅かなずれによって油密性の低下が招来される。また、特許文献１の構成では、加工が困難となり、製造コストが大きくなる虞がある。
【０００８】
本発明は上述した問題を解決するためになされたものであり、その目的は、リリーフ弁と定残圧弁とで燃料レール内の圧力を調整し、しかも、構成が簡単で、定残圧弁の油密性を向上させた高圧ポンプを提供することにある。
【課題を解決するための手段】
【０００９】
上述した目的を達成するためになされた請求項１に記載の高圧ポンプでは、加圧部が加圧室を有している。加圧室は、プランジャの移動によって容積変化し燃料を加圧可能となっている。吐出部は、加圧室にて加圧される燃料を、インジェクタが接続される燃料レールへ吐出弁を介して吐出する。
【００１０】
このような構成の下、本発明では、リターン流路、機械式のリリーフ弁、及び、機械式の定残圧弁を備えている。機械式としたのは、電磁式の弁を除外する趣旨である。
リターン流路は、吐出弁の下流側から、当該吐出弁の上流側へ、燃料を戻すことが可能な流路である。吐出弁の下流側とあるのは、例えば弁座を有する吐出弁であれば、弁座の下流側を意味する。同様に、吐出弁の上流側とあるのは、弁座の上流側を意味する。また、燃料を戻すのは、吐出弁の上流側であればよく、高圧の燃料通路に戻す場合だけでなく、さらに上流側に配設される低圧の燃料通路に戻す場合を含む。
【００１１】
リリーフ弁は、リリーフ用弁体、及び、リリーフ用付勢手段を有している。リリーフ用弁体は、リターン流路の途中に介在し、筒状を呈している。また、リリーフ用付勢手段は、リリーフ用弁体を閉弁方向へ付勢する。これにより、燃料レール内の圧力が許容範囲を上回るリリーフ圧以上になると、リリーフ用弁体が移動することでリターン流路を開放する。
【００１２】
本発明では、リリーフ用弁体の内部上流側に、リリーフ用付勢手段に外縁部を付勢されて支持されるスプリングシートを備えている。スプリングシートは、その内部に燃料の流路を形成するカップ状を呈している。例えば、上流側へ向けてカップを伏せた形となっている。
【００１３】
定残圧弁は、このスプリングシートの内部に配置される。具体的には、リリーフ用弁体の内部に形成された弁座に着座することでリリーフ用弁体の上流側の絞り部からの燃料を遮断可能な定残圧用弁体、及び、当該定残圧用弁体を閉弁方向へ付勢する定残圧用付勢手段を有している。これにより、定残圧弁は、絞り部から流入する燃料の圧力によってリターン流路を機能させ、燃料レール内の圧力が所定圧以下になるとリターン流路を閉塞する。
【００１４】
ここで特に本発明は、スプリングシートがガイド部を有していることを特徴とする。ガイド部は、定残圧用弁体の外郭に沿って形成されている。このガイド部によって、定残圧用弁体の下流側に発生する渦流が抑制されるようになっている。
【００１５】
本発明によれば、リリーフ弁と定残圧弁とで燃料レール内の圧力を調整することができる。しかも、スプリングシートを用いてリリーフ弁の内部に定残圧弁を配置したため、特許文献１と比べ、加工の困難性が生じず、製造が容易になる。さらに、ガイド部によって定残圧用弁体の下流側に発生する渦流が抑制される。これにより、定残圧用弁体は開弁時に安定した姿勢を保つことができ、閉弁時に作用する付勢力が小さくても、開弁前と同様の位置に着座可能となっている。その結果、定残圧弁の油密性の低下を払拭することができる。
【００１６】
さらにガイド部によって、リリーフ弁作動時にリリーフ弁体の横穴から流入する燃料が定残圧用弁体や定残圧用付勢手段に及ぼす燃料流れの影響を回避可能なため、リリーフ弁作動から復帰した際にリリーフ弁開弁前と同様の位置に着座可能となっている。その結果、定残圧弁の油密性の低下を払拭することができる。
【００１７】
上記スプリングシートがカップ状を呈することは既に述べたが、請求項２に示すように、スプリングシートの下流側に燃料を流すための貫通孔を形成することが考えられる。このとき、請求項３に示すように、上流側の絞り部と直列に配置される下流側の絞り部として貫通孔を設けることが例示される。絞り部を直列に設けることで絞り部による効果が大きくなるため、上流側にだけ絞り部を形成する構成と比べ、両側の絞り部の流路面積を大きく設定することができる。これにより、異物や重質燃料の詰まり等の不具合を回避することができるとともに、安価な加工方法を用いて製造可能なため製造コストを下げることができる。
【００１８】
なお、上述した下流側絞り部は、請求項４に示すように、貫通孔に対し、径方向へ押圧力を発生する断面視Ｃ形のスプリングピンを挿入することで構成することが考えられる。このようなスプリングピンを用いることで、下流側の絞り部を、比較的簡単に構成することができる。
【００１９】
組み立て作業に要する時間を低減するという観点からは、請求項５に示すように、スプリングシートの外縁部に、リング状の係止部を設けることとしてもよい。この係止部は、リリーフ用付勢手段の一端に当接するとともに、リリーフ用弁体の内周壁に食い込む。このとき、請求項６に示すように、リング状の係止部は、スプリングシートとは別部材としてもよい。いずれにしてもこのようにすれば、リリーフ用付勢手段を取り付けることなくスプリングシートがリリーフ用弁体に組み付けられるため、定残圧弁の構成がサブアッシー化できる。その結果、組み立て作業に要する時間を低減することができる。
【００２０】
スプリングシートと他の部品との干渉を防止するとともに、スプリングシートの寸法精度を落として製造コストを低減するという観点からは、請求項７に示すように、リリーフ用弁体とスプリングシートの外縁部との間に、定残圧用弁体の周囲を覆うワッシャ部材を有することとしてもよい。
【００２１】
このとき、請求項８に示すように、ワッシャ部材の内径は定残圧用弁体の外径よりもわずかに大きく形成するとよい。このようにすれば、ワッシャ部材と定残圧用弁体との間においても絞り部を構成することとなり、前述した直列の絞り部が１つ増加することとなるため、さらに各絞り部の流路面積を大きく設定することができる。
【００２２】
ところで、リターン流路は吐出弁よりも上流側へ燃料を戻すものであればよいことは既に述べた。ただし、ポンプ効率を考えた場合、請求項９に示すように、リターン流路が吐出弁の下流側と加圧室とを連通する構成とすることが望ましい。このようにすれば、加圧室における燃料圧力と燃料レール内の圧力とのバランスで定残圧弁を閉弁させることができ、プランジャによる高圧ポンプの加圧行程等、加圧室の圧力が相対的に高くなる期間では、定残圧弁が閉弁状態に保持される。これにより、リターン流路による燃料の排出が抑えられ、ポンプ効率の低下を抑制することができる。
【図面の簡単な説明】
【００２３】
【図１】実施形態の燃料供給装置を示す説明図である。
【図２】高圧ポンプの一部を断面で示す平面図である。
【図３】一実施形態の圧力調整部の概略断面図である。
【図４】図３の部分拡大断面図である。
【図５】別形態の圧力調整部の概略断面図である。
【図６】図５の部分拡大断面図である。
【図７】別形態の圧力調整部の部分拡大断面図である。
【図８】（ａ）は別形態の圧力調整部の部分拡大断面図であり、（ｂ）は（ａ）のＢ−Ｂ線断面図である。
【図９】別形態の圧力調整部の部分拡大断面図である。
【発明を実施するための形態】
【００２４】
以下、実施形態を図面に基づいて説明する。
本形態の燃料供給装置は、図１に示すごとくである。
図１に示すように、燃料供給装置１は、高圧ポンプ１０及び燃料レール２０を含む構成となっている。
【００２５】
高圧ポンプ１０は、燃料タンク３０から低圧ポンプ３１によって供給される燃料を加圧し、高圧燃料として吐出する。吐出される燃料を蓄積するのが、燃料レール２０である。燃料レール２０には、複数（本形態では４つ）のインジェクタ２１が接続されている。燃料レール２０に蓄積される高圧燃料は、ＥＣＵ（不図示）からの通電によって、インジェクタ２１から噴射される。このとき、ＥＣＵからはインジェクタを駆動するためのパルス信号が出力される。したがって、このパルス信号の幅（インジェクタ駆動パルス幅）と、燃料レール２０内の圧力によって噴射量が制御されることになる。
【００２６】
高圧ポンプ１０は、プランジャ部４０、及び、調量弁部５０、吐出弁部６０、圧力調整部７０を有している。プランジャ部４０は、カムシャフト１００の回転により、カム１０１のプロフィールに沿ってプランジャ１５を上下させる。調量弁５０は、プレストローク調量を行うための構成であり、電磁弁で構成されている。
【００２７】
次に、図２に基づき、吐出弁部６０及び圧力調整部７０の構成を説明する。
高圧ポンプ１０は、外郭を形成するハウジング１１を備え、上面側に、カバー１２が取り付けられている。これにより、図示しない燃料ギャラリーが形成される。
【００２８】
ハウジング１１の略中央部には、加圧室１４が形成されている。加圧室１４は、ハウジング１１及びプランジャ１５の上面で囲まれた空間である。これにより、加圧室１４は、プランジャ１５の移動によって容積変化し燃料を加圧する。
【００２９】
加圧室１４には、吐出弁部６０が連結されている（図２の上部参照）。吐出弁部６０は、図２に示すように、ハウジング１１にて形成される円筒状の収容部６１を有している。この収容部６１にて形成される収容室６１１に、吐出用弁体６２、スプリング６３、及び、係止部６４が収容されている。また、収容室６１１の開口部分が、吐出口６５となっている。吐出口６５とは反対側の収容室６１１の深部には、弁座６１２が形成されている。
【００３０】
吐出用弁体６２は、スプリング６３の付勢力と燃料レール２０内の圧力により、弁座６１２に当接する。これにより、吐出用弁体６２は、加圧室１４の燃料の圧力が低いうちは、燃料の吐出を停止する。一方、加圧室１４の燃料の圧力が大きくなってスプリング６３の付勢力と燃料レール２０内の圧力とに打ち勝つと、吐出用弁体６２が吐出口６５の方向へ移動する。これにより、収容室６１１へ流入した燃料は、吐出口６５から吐出される。なお、吐出用弁体６２は、その内部に燃料の通り路となる空間を有している。したがって、吐出用弁体６２が弁座６１２から離座することで、吐出用弁体６２の外周部分へ流入した燃料は、吐出用弁体６２の内部空間を経由して、吐出口６５から吐出されることになる。
【００３１】
図２において加圧室１４の右側には、圧力調整部７０が設けられている。
圧力調整部７０は、吐出用弁体６２の着座する弁座６１２よりも下流側の収容室６１１から加圧室１４へのリターン流路７１、７２に介在する。具体的には、収容室６１１からのリターン流路７１と、加圧室１４へ通じるリターン流路７２との間に介在している。
【００３２】
圧力調整部７０は、機械式のリリーフ弁７３及び機械式の定残圧弁７４で構成されている。そこで次に、これらリリーフ弁７３及び定残圧弁７４の構成を説明する。図３は、圧力調整部７０を示す説明図である。また、図４は、図３の部分拡大断面図である。
【００３３】
図３に示すように、リリーフ弁７３は、リターン流路７１に続く燃料通路７５に配置されている。燃料通路７５は、その径がリターン流路７１の径よりも大きくなっている。この燃料通路７５と加圧室１４とを連通するのが、リターン流路７２である。また、燃料通路７５は、ハウジング１１の外部へ開口している。したがって、この開口を利用して、リリーフ弁７３及び定残圧弁７４等が組み付けられる。この開口は、図３に示すように、六角ボルトを有する係止部７７を螺着することで閉塞されている。
【００３４】
リリーフ弁７３は、筒状を呈するリリーフ用弁体８１、及び、リリーフ用弁体８１を付勢するスプリング８２を有している。
【００３５】
リリーフ用弁体８１は、燃料通路７５によって、軸方向へ移動可能に支持されている。
スプリング８２は、一端をリリーフ用弁体８１の下流側に配置される筒状の係止部８３に係止され、他端をリリーフ用弁体８１側に係止されている。詳しくは、リリーフ用弁体８１の内部上流側にカップ状のスプリングシート８４が配設されており、当該スプリングシート８４の外縁部８５を上流側へ押圧するように係止されている。さらにまた、リターン流路７１から燃料通路７５への連結部分には弁座７８が形成されており、スプリング８２により付勢されるリリーフ用弁体８１は、その先端部の周縁を弁座７８に当接させる。
【００３６】
リリーフ用弁体８１は、通常時には弁座７８に着座しており、図１に示した燃料レール２０内の燃料圧力が許容範囲を上回る圧力であるリリーフ圧以上になると、先端部に作用する燃料圧力によって、スプリング８２の付勢力に抗して弁座７８から離座するようになっている。換言すれば、当該リリーフ圧以上でリリーフ弁７３が開弁するように、スプリング８２による付勢力が調整されている。
【００３７】
なお、リリーフ用弁体８１は、その側壁に開口８１ａを有している。これにより、リリーフ用弁体８１の先端部が弁座７８から離座すると、燃料通路７５へ流入した燃料は、開口８１ａを経由し空間部分から下流側へ流れることになる。
【００３８】
上記スプリングシート８４がカップ状となっていることは既に述べたが、上流側へ向けてカップを伏せたような配置となっている。このスプリングシート８４の内部に、定残圧弁７４が構成されている。
【００３９】
定残圧弁７４は、図４に示すように、定残圧用弁体９１及び、スプリング９２を有している。
【００４０】
定残圧用弁体９１は、ボール状の弁体である。上述したリリーフ用弁体８１の先端部には、流路面積の小さなオリフィス８７が形成されている。このオリフィス８７の下流側には弁座８８が形成されており、この弁座８８に着座するのが、定残圧用弁体９１である。
【００４１】
スプリング９２は、一端を定残圧用弁体９１に係止されており、他端をスプリングシート８４に係止されている。詳細には、スプリングシート８４の下流側の端縁部が、内側へ折り曲げられており、スプリング９２の他端を係止すると共に、貫通孔８６を形成している。
【００４２】
かかる構成により、定残圧用弁体９１は、通常時には弁座８８から離座しており、図１に示した燃料レール２０内の燃料圧力が所定の圧力以下になると、スプリング９２の付勢力及び下流側の燃料圧力によって弁座８８へ着座するようになっている。換言すれば、所定圧力以下で定残圧弁７４が閉弁するように、スプリング９２による付勢力が調整されている。なお、本形態では、この所定圧力は、エンジンのアイドル運転時における燃料レール２０の圧力以下で、かつ、燃料の飽和蒸気圧以上に設定してある。
【００４３】
なお、定残圧弁７４が通常時に開弁することは既に述べたが、例外的に、高圧ポンプ１０のプランジャ４１による加圧行程においては閉弁する。下流側の燃料圧力が上昇するためである。
【００４４】
ここで特に本形態では、スプリングシート８４が、定残圧用弁体９１の外郭に沿って形成されたガイド部８９を有している。このガイド部８９によって、定残圧用弁体９１が弁座８８から離座した際、流れ込む燃料によって定残圧用弁体９１の下流側に発生する渦流を抑制する。
【００４５】
以上詳述したように、本形態の高圧ポンプ１０では、リリーフ弁７３と定残圧弁７４とで燃料レール２０内の圧力を調整することができる。しかも、スプリングシート８４を用いてリリーフ弁７３の内部に定残圧弁７４を配置したため、加工が容易で、製造コストが削減される。さらに、スプリングシート８４のガイド部８９によって定残圧用弁体９１の下流側に発生する渦流が抑制される。これにより、定残圧用弁体９１は開弁時に安定した姿勢を保つことができ、閉弁に作用する燃料圧力が低くても、弁座８８に対し、開弁前と同様の位置に着座可能となっている。その結果、定残圧弁７４の油密性の低下を払拭することができる。また、リターン流路７１、７２が吐出弁６２の下流側と加圧室１４とを連通するため、加圧室１４における燃料圧力と燃料レール２０内の圧力とのバランスで定残圧弁７４を閉弁させることができ、プランジャ１５による高圧ポンプ１０の加圧行程等、加圧室１４の圧力が高くなる期間では、定残圧弁７４が閉弁状態に保持される。これにより、リターン流路７１、７２による燃料の排出が抑えられ、ポンプ効率の低下を抑制することができる。
【００４６】
なお、本形態における高圧ポンプ１０が「高圧ポンプ」を構成し、燃料レール２０が「燃料レール」を構成し、プランジャ部４０が「加圧部」を構成し、加圧室１４が「加圧室」を構成し、吐出弁部６０が「吐出部」を構成する。また、リターン流路７１、７２が「リターン流路」を構成し、リリーフ弁７３が「リリーフ弁」を構成し、リリーフ用弁体８１が「リリーフ用弁体」を構成し、スプリング８２が「リリーフ用付勢手段」を構成する。さらにまた、定残圧弁７４が「定残圧弁」を構成し、定残圧用弁体９１が「定残圧用弁体」を構成し、スプリング９２が「定残圧用付勢手段」を構成し、オリフィス８７が「上流側の絞り部」を構成する。また、スプリングシート８４が「スプリングシート」を構成し、ガイド部８９が「ガイド部」を構成し、貫通孔８６が「貫通孔」を構成する。
【００４７】
以上、本発明は、上記形態に何等限定されるものではなく、その趣旨を逸脱しない範囲において、種々なる形態で実施可能である。
【００４８】
（イ）例えば、図５及び図６に示すような圧力調整部７０１を備える構成としてもよい。図５は、圧力調整部７０１を示す概略断面図であり、図６は、図５の部分拡大断面図である。なお、上記形態と同一の構成部分には、同一の符号を付す。
【００４９】
本形態においても、図６に示すように、カップ状のスプリングシート８４１を備えている。このとき、スプリングシート８４１の外縁部８５１にスプリング８２の一端が係止されている。そして、スプリングシート８４１の内部に、定残圧弁７４が形成されている。定残圧弁７４は、上記形態と同様の構成である。また、スプリングシート８４１は、定残圧用弁体９１の外郭に沿って形成されたガイド部８９１を有している。
【００５０】
ここで特に本形態では、図６に示すように、スプリングシート８４１の下流側の端縁部が内側へ折り曲げられており、スプリング９２を係止すると共に、流路面積の比較的小さな貫通孔８６１を形成している。
【００５１】
これにより、上記形態と同様の効果が奏される。さらに、共に流路面積の小さなオリフィス８７及び貫通孔８６１が直列に配置されているため、絞りの効果が大きくなる。これにより、上流側にだけオリフィス８７を形成する構成と比べ、オリフィス８７及び貫通孔８６１の流路面積を大きく設定することができる。その結果、異物や重質燃料の詰まり等の不具合を回避することができる。
【００５２】
なお、本形態のスプリングシート８４１が「スプリングシート」を構成し、ガイド部８９１が「ガイド部」を構成し、貫通孔８６１が「下流側の絞り部」を構成する。
【００５３】
（ロ）上記（イ）では、スプリングシート８４１の端縁部を折り曲げることで流路面積の比較的小さな貫通孔８６１を形成した。これに対し、図７に示すようなスプリングシート８４２を採用してもよい。図７は、別形態のスプリングシート部分を示す部分拡大断面図である。なお、上記形態と同一の構成部位には、同一の符号を付す。
【００５４】
本形態においても、カップ状のスプリングシート８４２を備えている。このとき、スプリングシート８４２の外縁部８５２にスプリング８２の一端が係止されている。そして、スプリングシート８４２の内部に、定残圧弁７４が形成されている。定残圧弁７４は、上記形態と同様の構成である。また、スプリングシート８４２は、定残圧用弁体９１の外郭に沿って形成されたガイド部８９２を有している。
【００５５】
ここで特に本形態では、図７に示すように、スプリングシート８４２の下流側の端縁部にスプリングピン８６２が挿入されて固定されている。スプリングピン８６２は、径外方向への押圧力を発生する断面視Ｃ形の部材である。このとき、スプリングピン８６２の切れ目及びスプリングピンの内径部分が流路面積の比較的小さな貫通孔８６３として機能する。
【００５６】
これにより、上記形態と同様の効果が奏される。さらに、共に流路面積の小さなオリフィス８７及び貫通孔８６３が直列に配置されているため、絞りの効果が大きくなる。これにより、上流側にだけオリフィス８７を形成する構成と比べ、オリフィス８７及び貫通孔８６３の流路面積を大きく設定することができる。その結果、異物や重質燃料の詰まり等の不具合を回避することができる。
【００５７】
なお、本形態のスプリングシート８４２が「スプリングシート」を構成し、ガイド部８９２が「ガイド部」を構成し、スプリングピン８６２が「スプリングピン」を構成し、貫通孔８６３が「下流側の絞り部」を構成する。
【００５８】
（ハ）また、組み付け作業に要する時間を短縮するという観点からは、図８に示すようなスプリングシート８４３を採用してもよい。図８（ａ）は、スプリングシート部分を示す部分拡大断面図である。また、図８（ｂ）は、図８（ａ）のＢ−Ｂ線断面図である。なお、上記形態と同一の構成部位には、同一の符号を付す。
【００５９】
本形態においても、カップ状のスプリングシート８４３を備えている。このとき、スプリングシート８４３の外縁部８５３に、リング状部材９３を介在させた状態で、スプリング８２の一端が係止されている。そして、スプリングシート８４３の内部に、定残圧弁７４が形成されている。定残圧弁７４は、上記形態と同様の構成である。また、スプリングシート８４３は、定残圧用弁体９１の外郭に沿って形成されたガイド部８９３を有している。
【００６０】
ここで特に本形態では、図８（ａ）及び（ｂ）に示すように、リング状部材９３の周縁に複数（本形態では８つ）のスリット９３１が形成されており、スリット９３１の間の部分は、径外方向へ突出する爪部９３２となっている。そして、この爪部９３２がリリーフ用弁体８１の内周壁に食い込むように取り付けられている。
【００６１】
これにより、上記形態と同様の効果が奏される。さらに、リング状部材９３を介在させることでスプリング８２を取り付けることなくスプリングシート８４３がリリーフ用弁体８１に組み付けられるため、定残圧弁７４の構成がサブアッシー化できる。その結果、組み立て作業に要する時間を低減することができる。
【００６２】
また、リング状部材９３を介してスプリング８２にてスプリングシート８４３を押圧する場合、スプリングシート８４３の外縁部８５２をより安定した状態でリリーフ用弁体８１に当接させることができる。
【００６３】
なお、ここでは、スプリングシート８４３とリング状部材９３とが別部材で構成されているが、スプリングシート８４３の外縁部８５３にリング状部材９３と同様のスリット９３１及び爪部９３２を形成するようにしてもよい。
【００６４】
本形態のスプリングシート８４３が「スプリングシート」を構成し、ガイド部８９３が「ガイド部」を構成し、貫通孔８６４が「貫通孔」を構成し、リング状部材９３が「リング状の係止部」を構成する。
【００６５】
（ニ）また、図９に示すようなスプリングシート８４４を採用してもよい。図９（ａ）は、スプリングシート部分を示す部分拡大断面図である。なお、上記形態と同一の構成部位には、同一の符号を付す。
【００６６】
本形態においても、カップ状のスプリングシート８４４を備えている。このとき、スプリングシート８４４の外縁部８５４に対しスプリング８２の反対側に、つまりリリーフ用弁体８１とスプリングシート８４４の外縁部８５４との間に、ワッシャ部材９４が設けられている。そして、スプリングシート８４４の内部に、定残圧弁７４が形成されている。定残圧弁７４は、上記形態と同様の構成である。また、スプリングシート８４４は、定残圧用弁体９１の外郭に沿って形成されたガイド部８９４を有している。さらにまた、ワッシャ部材９４は、定残圧用弁体９１の周囲を覆うように設けられている。
【００６７】
ここで、ワッシャ部材９４の内径は定残圧弁体９１よりもわずかに大きく形成されており、ワッシャ部材９４と定残圧弁体９１との間においても絞り部を構成することとなる。これにより、前述した直列の絞り部が１つ増加することとなるため、さらに絞り部の流路面積を大きく設定することができる。ここでいう絞り部はオリフィス８７であるが、スプリングシート８４１，８４２に対しこのようなワッシャ部材９４を採用すれば、オリフィス８７と共に貫通孔８６１，８６３の流路面積を大きく設定することができる。
【００６８】
なお、このようなワッシャ部材は、プレス等の行程によって製造してもよい。図９（ｂ）は、プレス等の工程によって製造したワッシャ９５を示している。ワッシャ９５は、断面コ字状となっており、図９（ｂ）に示した無垢板のワッシャ部材９４よりも軽量であるため、リリーフ弁８１作動時の弁応答性が向上する。
【００６９】
本形態のスプリングシート８４４が「スプリングシート」を構成し、ガイド部８９４が「ガイド部」を構成し、貫通孔８６５が「貫通孔」を構成し、ワッシャ部材９４，９５が「ワッシャ部材」を構成する。
【符号の説明】
【００７０】
１：燃料供給装置、１０：高圧ポンプ、１１：ハウジング、１２：カバー、１４：加圧室、１５：プランジャ、２０：燃料レール、２１：インジェクタ、３０：燃料タンク、３１：低圧ポンプ、６０：吐出弁部、６１：収容部、６１１：収容室、６１２：弁座、６２：吐出用弁体、６３：スプリング、６４：係止部、６５：吐出口、７０：圧力調整部、７１：リターン流路、７２：リターン流路、７３：リリーフ弁、７４：定残圧弁、７５：燃料通路、７７：係止部、７８：弁座、８１：リリーフ用弁体、８１ａ：開口、８２：スプリング、８３：係止部、８４：スプリングシート、８４１：スプリングシート、８４２：スプリングシート、８４３：スプリングシート、８５：外縁部、８５１：外縁部、８５２：外縁部、８５３：外縁部、８６：貫通孔、８６１：貫通孔、８６２：スプリングピン、８６３：貫通孔、８７：オリフィス、８８：弁座、８９：ガイド部、８９１：ガイド部、８９２：ガイド部、８９３：ガイド部、９１：定残圧用弁体、９２：スプリング、９３：リング状部材、９３１：スリット、９３２：爪部
【図１】
2011122521.tif 000003
【図２】
2011122521.tif 000004
【図３】
2011122521.tif 000005
【図４】
2011122521.tif 000006
【図５】
2011122521.tif 000007
【図６】
2011122521.tif 000008
【図７】
2011122521.tif 000009
【図８】
2011122521.tif 000010
【図９】
2011122521.tif 000011